(57)【特許請求の範囲】
【請求項１】
電子デバイスを取り付けるための調整可能延長アームであり、前記延長アームが、デバイスを自身に取り付けるための第１の端と第２の端を有する前腕延長部であり、前記前腕延長部が、前記第１の端に第１の開口と前記第２の端に隣接した第２の開口とを有し、前記第１と第２の開口が、前記第１と第２の端の間で前記前腕延長部内にあるチャネルを介して互いに連通している、前腕延長部と、前記前腕延長部の前記第１の端に回転式に取り付けられた第１の端を有する第２のエンドキャップであり、前記第２のエンドキャップが、前記前腕延長部内で前記第１の開口と連通して延長している開口を有する、第２のエンドキャップと、支持構造体に取り付け可能な第１の端を有する第１のエンドキャップと、チャネルを形成するように一緒にネスティングされた長尺の第１と第２のチャネル部材であり、前記第１と第２のチャネル部材は、自身の第１の端が、前記第１のエンドキャップにピボット旋回式に取り付けられ、第２の端が、前記第２のエンドキャップにピボット旋回式に取り付けられている、長尺の第１と第２のチャネル部材と、前記前腕延長部の前記第２の端にカップリングされたチルターアセンブリであり、前記チルターアセンブリが、一方の端に開口を有するスイベルボルトと、一方の端が前記開口内で前記スイベルボルトにピボット旋回式に取り付けられているスイベルラグと、前記スイベルラグに調整可能な押圧力を印加するための手段と、前記スイベルラグの他方の端に固定されたアダプタとを有する、チルターアセンブリと、を備えている調整可能延長アームにおいて、
前記チルターアセンブリが、対を成す間隔置きされたレッグ同士間で、一方の端に拡大ヘッドと他方の端に開口とを有する前記スイベルボルトであり、前記スイベルボルトが、前記拡大ヘッドから前記レッグ同士間に形成されている前記開口まで延長するボアを含み、前記スイベルラグが、前記レッグ同士間の前記開口内にピボット旋回式に受容され、前記スイベルラグが、前記ボアの下方にある頂部部分と遠位部分とを有する、前記スイベルボルトと、前記スイベルラグの頂部部分と係合して前記ボア内に受容される弾性部材と、一方の端が前記弾性部材と係合しており、前記ボア内に回転式に受容されるスレッド付き部材であり、前記スレッド付き部材が回転すると、前記弾性部材が前記スイベルラグの前記頂部部分に対して押圧され、これによって、前記スイベルラグのピボット旋回式運動を禁止するようになっている、前記スレッド付き部材と、前記スイベルラグの前記遠位部分を内部に取り付ける開口を有するアダプタと、を備えていることを特徴とする、調整可能延長アーム。
【請求項２】
前記チャネル部材の内の一方が、前記第１と第２の端の間に長尺の開口を有し、これで、前記チャネル部材の外部と内部に形成されている前記チャネルとの間を連通させることを特徴とする、請求項１に記載の延長アーム。
【請求項３】
前記第１と第２のチャネル部材間に形成された前記チャネルが、前記第２のエンドキャップを介して延長している前記開口と連通しており、前記第１と第２のエンドキャップが、垂直軸を有する、ことを特徴とする、請求項１に記載の延長アーム。
【請求項４】
前記垂直軸が、平行位置合わせ状態に維持され、一方、前記第１と第２のチャネル部材が、それぞれ第１と第２の端のところで、前記第１と第２のエンドキャップの周りをピボット回転することを特徴とする、請求項３に記載の延長アーム。
【請求項５】
前記前腕延長部が、内部にある前記チャネルと、前記第１及び前記第２の開口とに連通している長尺の頂部開口を含むことを特徴とする、請求項１に記載の延長アーム。
【請求項６】
前記頂部開口内に取り外し可能に受容されるカバーであり、前記カバーによって、前記第２の開口を介して前記前腕延長部内の前記チャネルに対して外部から手が届く、前記カバーを備えることを特徴とする、請求項５に記載の延長アーム。
【請求項７】
前記前腕延長部が、底部壁を含み、前記第２の開口が、前記底部壁と前記前腕延長部の前記第２の端に隣接した前記カバーとの間を延長することを特徴とする、請求項６に記載の延長アーム。
【請求項８】
前記前腕延長部が、底部壁を含み、前記第２の開口が、前記前腕延長部の前記第２の端に隣接して前記底部壁に配置されることを特徴とする、請求項１に記載の延長アーム。
【請求項９】
一方の端が前記第２のエンドキャップ内で前記開口内に受容され別の端が前記前腕延長部内で前記第１の開口内に受容されている管状部材であり、前記管状部材が、側部開口を有し、これによって、前記第１と第２のチャネル部材間に形成されている前記チャネルと前記前腕延長部内にある前記チャネルとの間を連通する、前記管状部材を備えることを特徴とする、請求項１に記載の延長アーム。
【請求項１０】
電子デバイス用のチルターアセンブリであり、前記アセンブリが、一方の端に開口を有するスイベルボルトと、前記開口内で前記スイベルボルトにピボット旋回式に取り付けられる一方の端を有するスイベルラグと、前記スイベルラグに調整可能な押圧力を印加するための手段と、前記スイベルラグの他方の端に固定されるアダプタと、を備えているチルターアセンブリにおいて、
前記スイベルボルト内の前記開口内の前記スイベルラグの前記一方の端の上方にある摩擦ペレットを備えていることを特徴とする、チルターアセンブリ。
【請求項１１】
前記摩擦ペレットと係合する端を有する前記スイベルボルトの一方の端の内部に受容されるスレッド付き部材を備えることを特徴とする、請求項１０に記載のチルターアセンブリ。
【請求項１２】
前記スイベルボルトが、前記開口を形成する対を成す間隔置き離間されたレッグを含む、請求項１０に記載のチルターアセンブリ。
【請求項１３】
前記アダプタが、前記アダプタを介して延長して、前記スイベルラグの前記他方端とスレッド式に係合するスレッド部材によって前記スイベルラグに取り付けられることを特徴とする、請求項１０に記載のチルターアセンブリ。
【請求項１４】
前記スイベルボルトにカップリングされた部分を有する延長アームが取付けられていることを特徴とする、請求項１０に記載のチルターアセンブリ。
【請求項１５】
前記アダプタに取り付け可能な搭載ブラケットであり、前記搭載ブラケットがＴ字形開口を有する、前記搭載ブラケットを備え、前記アダプタが、前記Ｔ字形開口内に受容されるようになっているＴ字形延長部を含む、ことを特徴とする、請求項１０に記載のチルターアセンブリ。
【請求項１６】
内部を延長するボアを有する搭載スリーブであり、前記スイベルボルトが、前記搭載スリーブの前記ボア内に回転式に受容され、また、前記搭載スリーブが、平面状頂部フランジを含む、前記搭載スリーブを備えることを特徴とする、請求項１０に記載のチルターアセンブリ。
【請求項１７】
前記スイベルラグが、前記スイベルラグ中を延長してスイベルボルトに固定されたピンによって前記スイベルボルトにピボット旋回式に取り付けられることを特徴とする、請求項１０に記載のチルターアセンブリ。
【請求項１８】
電子デバイス用のチルターアセンブリであり、前記アセンブリが、一方の端に拡大ヘッドを他方の端に開口を、対を成す間隔置きされたレッグ同士間に形成されているスイベルボルトであり、前記スイベルボルトが、前記拡大ヘッドから前記レッグ同士間に形成された前記開口まで延長するボアを含み、前記ボアが、スレッド付き部分を有する、前記スイベルボルトと、前記レッグ同士間にある前記開口内にピボット旋回式に受容されるスイベルラグであり、前記スイベルラグが、前記ボアの上方にある頂部部分と遠位部分とを有する、前記スイベルラグと、前記スイベルラグの頂部部分と係合して前記ボア内に受容される弾性部材と、一方の端が前記弾性部材内で係合している前記ボア内に回転式に受容されるスレッド付き部材であり、前記スレッド付き部材が回転すると、前記弾性部材が前記スイベルラグの前記頂部部分に押圧され、これによって、前記スイベルラグのピボット旋回運動を禁止する、前記スレッド付き部材と、前記スイベルラグの前記遠位部分が内部で取り付けられる開口を有するアダプタと、前記アダプタに切り離し可能に取り付け可能なデバイス搭載ブラケットと、を備えることを特徴とする、チルターアセンブリ。
【請求項１９】
前記スイベルボルトにカップリングされた部分を有する延長アームが取付けられていることを特徴とする、請求項１８に記載のチルターアセンブリ。
【請求項２０】
内部を延長するボアを有する搭載スリーブであり、前記スイベルボルトが、前記搭載スリーブの前記ボア内に回転式に受容される、前記搭載スリーブを備えることを特徴とする、請求項１８に記載のチルターアセンブリ。
【請求項２１】
前記搭載ブラケットが、前記搭載ブラケットを電子デバイスに取り付ける手段を含むことを特徴とする、請求項１８に記載のチルターアセンブリ。
【請求項２２】
前記スイベルラグが、前記スイベルラグを通って前記スイベルボルトに固定されるピンによって前記スイベルボルトにピボット旋回式に取り付けられることを特徴とする、請求項１８に記載のチルターアセンブリ。
【請求項２３】
電子デバイス用のチルターアセンブリであり、前記アセンブリが、一方の端に拡大ヘッドと他方の端に開口を、対を成す間隔置きされたレッグ同士間に形成して有するスイベルボルトであり、前記スイベルボルトが、前記拡大ヘッドから前記レッグ同士間に形成された前記開口にまで延長するボアを含み、前記ボアが、スレッド付き部分を有する、スイベルボルトと、前記レッグ同士間で前記開口内にピボット旋回式に受容されるスイベルラグであり、前記スイベルラグが、前記ボアの下方にある頂部部分と遠位部分を有する、スイベルラグと、前記スイベルラグの頂部部分と係合して前記ボア内に受容される弾性部材と、一方の端が前記弾性部材と係合した、前記ボア内に回転式に受容されるスレッド付き部材であり、前記スレッド付き部材が回転すると、前記弾性部材が、前記スイベルラグの前記頂部部分に押圧され、これによって、前記スイベルラグのピボット旋回運動を禁止する、スレッド付き部材と、Ｔ字形延長部と、前記スイベルラグの前記遠位部分が内部で取り付けられる開口とを有するアダプタと、前記アダプタに切り離し可能に取り付け可能な搭載ブラケットであり、前記搭載ブラケットが、前記Ｔ字形延長部を受容するようになっているＴ字形開口を有する、前記搭載ブラケットと、を備える、チルターアセンブリ。
【発明の詳細な説明】
【０００１】
【発明の属する技術分野】
本発明は、一般的には、電子デバイスを取り付けるためのアーム装置に関し、より詳しくは、電子デバイスに連設されるケーブルを内部で管理するシステムを有する延長アームに関する。
【０００２】
【従来の技術】
コンピュータモニター、ノートパソコン、インターネットコンピュータ、ＶＣＲ、カメラ、コンピュータキーボード、テレビ、その他の電子デバイスなどの電子周辺デバイスを取り付けるための調整可能延長アームが、先行技術では良く知られている。例えば、オニール(O'neill)の米国特許第４，８５２，８４２号、グリーン(Greene)の米国特許第５，５８４，５９６号、及びヴォウラー(Voeller)らによる米国特許第５，７４３，５０３号から、様々な機械式支持アームが周知である。１例として、平坦画面技術分野における最近の進歩によって、平坦画面式のコンピュータモニターやテレビなどの平坦画面デバイスで用いるのに特に適した調整可能延長アームに対する需要がある。
【０００３】
この目的のため、図１〜図７に、先行技術による周辺デバイスを搭載する延長アーム１０が開示されている。図１に示すように、延長アーム１０の主要部品は、第１のエンドキャップ１２と、上部チャネル１４と、下部チャネル１６と、第２のエンドキャップ１８と、前腕延長部２０とがある。第１のエンドキャップ１２は、剛性支持マウント（図示せず）にピボット旋回式に取り付け可能なエンドキャップシャフト２２を有するが、このマウントは、エンドキャップシャフト２２を受け入れるようなサイズを有するオリフィスであったり、エンドキャップシャフト２２の溝と係合するような構成とサイズを有するトラックであったりする。第１のエンドキャップ１２は、上部チャネル１４と下部チャネル１６の双方に対してピン２４を介してピボット旋回式にカップリングされている。上部チャネル１４と下部チャネル１６の互いに対向する端は、ピン２４を介して第２のエンドキャップ１８にピボット旋回式にカップリングされている。第２のエンドキャップ１８は、前腕延長ピン９２を介して前腕延長部２０にカップリングされている。前腕延長部２０は、垂直に配置された穴２６を持っており、これで、チルター、プラットフォーム又は他の装置などのデバイスマウント（図示せず）を受け入れるようになっている。
【０００４】
上部及び下部チャネル１４、１６並びに第１及び第２のエンドキャップ１２、１８が組み合わされて、調整可能な平行四辺形が形成され、これによって、前腕延長部２０にカップリングされたデバイスを、所望の高さに上げ下げすることができる。この平行四辺形は、自身の位置を、ガススプリング２８を用いることによって保持するが、このスプリング２８は、以下に詳述するように、第１のエンドキャップ１２と上部チャネル１４にピボット旋回式にそして調整式に取り付けられている。一般に、ガススプリング２８、例えばガスタイプの水圧シリンダと後退可能式ピストンロッドは、ガススプリングの設計抵抗値を超える上向き又は下向きの力が第２のエンドキャップ１８に印加されるまでは固定長を有するようなサイズとなっている。したがって、ガススプリング２８によって、第２のエンドキャップ１８に印加された力が、デバイスの重量だけであるが、この平行四辺形を、ユーザーが前腕延長部２０にカップリングされているデバイスを上下に押して調整する事を可能とするような場合にだけ、この平行四辺形がその位置を保つことが可能である。
【０００５】
図２に、第１のエンドキャップ１２の第１の端３０に配置されたエンドキャップシャフト２２を有する、第１のエンドキャップ１２の側面図を示す。この２つの物体間を剛性接続するために、エンドキャップシャフト２２は、一般的に、鋼から機械加工されていて、これを、第１のエンドキャップ１２の鋳造プロセス中に第１の端３０中に挿入して作製される。エンドキャップシャフト２２は、第１のエンドキャップ１２中に挿入されているエンドキャップシャフト２２の端に穴３２を形成している。第１のエンドキャップ１２は、一般的には、鋳造アルミニウムから製造される。第１のエンドキャップ１２はまた、穴３６を有する第２の端３４を有している。第１のエンドキャップ１２内には、スレッド付きロッド３８が配置されている。スレッド付きロッド３８の第１の端４０は、エンドキャップシャフト２２のベースのところで穴３２に挿入されている。スレッド付きロッド３８の第２の端４２は、穴３６と位置合わせされていて、クリップ４４によってしかるべき位置に保持される。このクリップ４４は、ネジ４６によって第１のエンドキャップ１２の内面に留められている。
【０００６】
クレビス４８が、スレッド付きロッド３８にスレッド式に搭載されている。図３に、中心部にタッピング穴５０を含むクレビス４８の側面図を示す。タッピング穴５０は、図２に示すようにスレッド付きロッド３８を受け入れる。クレビス４８の第１の端に、１対の留め部材５２と５４があり、これに対して、ガススプリング２８の一方の端が留められている。クレビス４８の第２の端５８は、第１のエンドキャップ１２に一体成形されているトラック５８と滑動式に係合するように構成されている（図２参照）。スレッド付きロッド３８の第２の端４２は、第２の端４２を穴３６と適切に位置合わせすると穴３６から挿入される六角形状のキーによって係合されるような構成となっている。この六角形状キーは、その回転軸に沿ってスレッド付きロッド３８を回転させるために用いられる。スレッド付きロッド３８をその回転軸にとって回転させると、クレビス４８は、スレッド付きロッド３８の長さに沿って移動するが、その移動方向は、六角形状キーが回転する方向に対応している。このクレビス４８の移動によって、ガススプリング２８を調整することができる。
【０００７】
図４Ａと図４Ｂに、上部チャネル１４を示すが、この上部チャネル１４は、チャネル底部６０を含むが、この底部６０から、２つのチャネル側壁６２が延長している。チャネル底部６０と側壁６２は、一般的には、所望の構造的剛性度を上部チャネル１４に備えるためにゲージ鋼シートから打ち抜き加工で作製する。チャネル底部６０の各端には、側壁６２に半円形領域６４が、切削形成されており、ピン２４を受容するための穴６８を有する冷間圧延形成された鋼ローラ６６を収容するようになっている。ローラ６６は、半円形切削形成領域６４とチャネル底部６０の両端と共にＭＩＧ溶接によって上部チャネル１４に堅固に取り付けられている。
【０００８】
加えて、上部チャネル１４は、チャネル底部６０の内面に溶接される補強剤７０を含んでいる。上部チャネル１４に構造的剛性を追加する他に、補強剤７０には、穴がその一方の端に配置されており、この穴の内部に、スレッド付きボールスタッド７２が挿入されて、ナット７４によってしかるべき位置に固定される。ボールスタッド７２は、ガススプリング２８の一方の端を受容するような構成とサイズとなっている。上部チャネル１４の長手方向中心線７６を、図４Ｂに示す。
【０００９】
図５Ａと図５Ｂに、２つのチャネル側壁８０が延長する起点であるチャネル底部７８を含む下部チャネル１６を示す。上部チャネル１４の場合と同様に、チャネル底部７８と側壁８０は、一般的には、１３のゲージ鋼シートから抜き打ち加工で形成されており、このシートは、所望の構造適合度を下部チャネル１６に与えるために比較的重い。チャネル底部７８の互いに対向する両端には、側壁８０に半円形領域８２が、切削形成されていて、これで、ピン２４受容用の穴８６を有する冷間圧延形成された鋼ローラ８４を収容する。このローラ８４は、半円形切削形成領域８２とチャネル底部７８の両端と共にＭＩＧ溶接で下部チャネル１６に堅固に取り付けられている。下部チャネル１６の長手方向中心線８８を、図５Ｂに示す。
【００１０】
図６に、第２のエンドキャップ１８を示す。第１のエンドキャップ１２とは異なって、第２のエンドキャップ１８は、エンドキャップシャフトを有さず、また、ガススプリング２８に取り付けるためのクレビスアセンブリも有しない。その代わりに、図１に示すように、第２のエンドキャップ１８は、その底部端に穴９０を有し、これで、前腕延長ピン９２を受容するようになっており、また、その側部に穴９４を有し、これでピン９６を前腕延長ピン９２中に挿入するようになっている。
【００１１】
図７に、前腕延長部２０に前腕延長ピン９２が溶接されている様子を示す。前腕延長ピン９２は、その上部端に穴９８が形成されていて、ピン９６を受容するようになっている。前腕延長部２０は、前腕延長ピン９２の周りにピボット回転するように構成されており、また、第２のエンドキャップ１８の穴９４と前腕延長ピン９２の穴９８に侵入するピン９６によって第２のエンドキャップ１８内のしかるべき位置に保持される。
【００１２】
図１〜７に示すような先行技術による延長アーム１０は、かさばるうえに取り扱いにくく、例えば、平坦画面モニターやテレビなどには適さない。そのうえ、その様々な部品の構成のため、先行技術による延長アーム１０は、搭載表面に面して平坦とすることができず、そのため、電子デバイスがこの搭載表面と実質的に同一平面上にあると、このデバイスの背後に延長アーム１０の全体が隠れてしまう。さらに、先行技術による延長アーム１０は、デバイスに備えられているケーブルを、延長アーム１０自身の内部に実質的に隠し、これによって保護するようには設計されていない。加えて、先行技術による延長アーム１０は、一般に、製造費用が高く組み立てるのが困難である。
【００１３】
【発明が解決しようとする課題】
したがって、電子デバイスに連設されるケーブルを延長アームの内部に実質的に隠し、これによってケーブルを保護することを可能とするような、電子デバイスを取り付けるのに適した延長アームに対する必要性が常に存在する。
【００１４】
【課題を解決するための手段】
本発明の１実施形態は、コンピュータモニター、ノートパソコン、インターネットコンピュータ、ＶＣＲ、カメラ、コンピュータキーボード、テレビなどの電子デバイス、その他の類似物品を搭載するのに適した延長アームに関する。
【００１５】
本発明の１実施形態による、電子デバイスを取り付けるための調整可能延長アームは、デバイス取り付け用の第１の端と第２の端を有し、また、その第１の端に第１の開口と、第２の端に隣接して第２の開口を有し、第１と第２の開口が、第１と第２の端間で前腕延長部内部に形成されたチャネルを介して互いに連通している、その前腕延長部と、前腕延長部の第１の端に回転式に取り付けられた第１の端を有し、第２のエンドキャップが、前腕延長部内で第１の開口と連通してその内部を延長している開口を有する、第２のエンドキャップと、支持構造体に取り付け可能な第１の端を有し、長尺の第１と第２のチャネル部材が、一緒にネスティングされ、これによって、その間にチャネルを形成しており、第１と第２のチャネル部材は、それらの第１の端が第１のエンドキャップにピボット旋回式に取り付けられ、それらの第２の端が第２のエンドキャップにピボット旋回式に取り付けられている、第１のエンドキャップと、前腕延長部の第２の端にカップリングされ、また、自身の一方の端に開口を有するスイベルボルトと、その一方の端が開口内でスイベルボルトにピボット旋回式に取り付けられているスイベルラグと、スイベルラグの他方の端に固定されているアダプタとを含むチルターアセンブリと、を備えることを特徴とする。
【００１６】
本発明の他の実施形態による、電子デバイスを搭載するための調整可能延長アームは、上向きで前腕延長部の第１と第２の端の間を延長する内部長尺チャネルを有する前腕延長部と、電子デバイスを前腕延長部の第２の端に搭載するデバイス搭載アセンブリと、前腕延長部の第１の端が回転式に搭載される第１の端を有する第２のエンドキャップであり、この第２のエンドキャップが、前腕延長部内で内部長尺チャネルと連通している内部を延長している開口を含む、第２のエンドキャップと、支持構造体に取り付け可能な第１のエンドキャップであり、対を成すネスティングされた長尺部材が、内部長尺チャネルを内部で形成し、これらの長尺部材の一方の共通端が、第１のエンドキャップにピボット旋回式に取り付けられ、これら長尺部材の別の共通端が第２のエンドキャップにピボット旋回式に取り付けられる、第１のエンドキャップと、を備え、延長アームが、第１のエンドキャップ内を延長する開口と、前腕延長部内の内部長尺チャネルとを通るケーブル経路を有することを特徴とする。
【００１７】
本発明の別の実施形態による、電子デバイスを搭載するための延長アームは、電子デバイスを自身に取り付けるための第１と第２の端を有する前腕延長部であり、この第１の端は、底部壁と対を成す間隔置きして離間された側壁とを有するＵ字形部材によって第２の端に接続する貫通穴を有し、このＵ字形部材は、この貫通穴と連通する長尺の第１のチャネルを形成する、前腕延長部と、前記長尺の第１のチャネルを密閉するための、前記貫通穴と前記Ｕ字形部材との上方にあって前記前腕延長部に切り離し可能に取り付け可能なカバーであり、前記前腕延長部の少なくとも１つの開口が、前記第２の端に隣接して前記底部壁にあるか又は、前記第２の端と前記カバーの一部分との間にある、前記カバーと、第１の端と、第１の端と第２の端との間を延長する貫通穴を有する第２の端とを含む第２のエンドキャップと、前腕延長部内で第２のエンドキャップと連痛する内部を有する、第２のエンドキャップ内で貫通穴に受容される管状部材であり、この管状部材は、カットアウトを備えた側壁を有し、前腕延長部が、前腕延長初の第１の端内で貫通穴内に受容されている管状部材によって第２のエンドキャップに回転式に取り付けられる、管状部材と、支持構造体に回転式に取り付け可能な端を有する第１のエンドキャップと、一緒にネスティングされてチャネルを挟むように形成する長尺の第１と第２のチャネル部材であり、第１と第２のチャネル部材は、第１の端が第１のエンドキャップにピボット旋回式に取り付けられ、第２の端が第２のエンドキャップにピボット旋回式に取り付けられており、これらチャネル部材の内の一方は、第１と第２の端間にあってチャネル部材の外部と内部に形成されたチャネルとを連通する長尺の開口を有する長尺の第１と第２のチャネル部材と、を備え、延長アームが、管状部材内の貫通穴と、前腕延長部内の第１のチャネルとの中を延長するケーブル経路を形成することを特徴とする。
【００１８】
本発明の別の実施形態による、電子デバイス用のチルターアセンブリは、一方の端に開口を有するスイベルボルトと、一方の端がこの開口内でスイベルボルトにピボット旋回式に取り付けられたスイベルラグと、スイベルラグの他方の端に固定されたアダプタと、を備えることを特徴とする。
【００１９】
本発明の別の実施形態による、電子デバイス用のチルターアセンブリは、自身の一方の端に拡大ヘッドと、対を成す間隔置きされたレッグ間で形成された他方の端に開口とを有するスイベルボルトであり、このスイベルベルトは、拡大ヘッドから、レッグ間に形成された開口まで延長するボアを含み、このボアはスレッド付き部分を有する、スイベルボルトと、レッグ間にある開口内にピボット旋回式に受容されるスイベルラグであり、このスイベルラグは、ボアの下層を成す頂部部分と遠位部分とを有する、スイベルラグと、スイベルラグの頂部部分と係合してボア内に受容される弾性部材と、その一方の端が弾性部材と係合している、ボア内に回転式に受容されるスレッド付き部材であり、この構成によって、スレッド付き部材が回転すると、弾性部材がスイベルラグの頂部部分に対して押圧されて、スイベルラグがピボット旋回式に移動するのを禁止するようになっている、スレッド付き部材と、スイベルラグの遠位部分が内部に取り付けられる開口を有するアダプタと、このアダプタに切り離し可能に取り付け可能なデバイス搭載ブラケットと、を備えることを特徴とする。
【００２０】
本発明の別の実施形態による、電子デバイス用のチルターアセンブリは、自身の一方の端に拡大ヘッドと、対を成す間隔置きされたレッグ間で形成された他方の端での開口とを有するスイベルボルトであり、このスイベルボルトが、この拡大ヘッドからレッグ間に形成された開口まで延長するボアを含み、このボアがスレッド付き部分を有する、スイベルボルトと、レッグ間の開口内にピボット旋回式に受容されるスイベルラグであり、このスイベルラグが、ボアの下層を成す頂部部分と遠位部分とを有する、スイベルラグと、スイベルラグの頂部部分と係合してボア内に受容される弾性部材と、一方の端が弾性部材と係合していて、ボア内に回転式に受容されるスレッド付き部材であり、この構成によって、スレッド付き部材が回転すると、弾性部材がスイベルラグの頂部部分に対して押圧され、これによって、スイベルラグのピボット旋回式移動を禁止する、スレッド付き部材と、Ｔ字形の延長ラグと、スイベルラグの遠位部分を内部に取り付ける開口とを有するアダプタと、アダプタに対して切り離し可能に取り付け可能な搭載ブラケットであり、搭載ブラケットが、Ｔ字形延長部を受容するようになっているＴ字形開口を有する、搭載ブラケットと、を備えることを特徴とする。
【００２１】
【発明の実施の形態】
図示され、また、図面を参照して説明される主題の好ましい実施形態を説明するに際して、分かりやすいように特定の用語を用いる。しかしながら、本発明は、このようにして選択された特定の用語に限られるものではなく、特定の用語はその各々が、類似の目的を達成するために類似のように動作するあらゆる技術的同等物を含むことを理解すべきである。
【００２２】
図面、特に図８〜図１７を参照して、本発明による装置を開示する。安価で製造と組立が容易で、また、平坦画面デバイスを搭載表面と実質的に同一平面上に搭載することを可能とする、コンピュータモニターやテレビなどの平坦画面電子周辺デバイスを搭載するのに適した延長アームの実施形態が、「電子装置取着アーム装置（Ａｒｍ  Ａｐｐａｒａｔｕｓ  Ｆｏｒ  Ｍｏｕｎｔｉｎｇ  Ｅｌｅｃｔｒｏｎｉｃ  Ｄｅｖｉｃｅｓ）」として、１９９９年９月２４日提出の米国特許出願第０９／４０５，６２８号に記載されている。本発明は、平坦画面電子周辺デバイスに連設されるケーブルを視界からアーム内に実質的に隠すことを可能とする実施形態を開示する。
【００２３】
図８は、１実施形態による延長アーム１００の分解組み立て図である。延長アーム１００は、第１のエンドキャップ１０２と、上部チャネル１０４と、下部チャネル１０６と、第２のエンドキャップ１０８と、前腕延長部１１０とを備えている。図９に、デバイスに連設されるケーブルを、延長アーム１００の下部チャネル１０６と、第２のエンドキャップ１０８と、前腕延長部１１０との内部に配置して、視界から隠す方法を示す。図９については後で詳述する。
【００２４】
図１０Ａと図１０Ｂに、本発明の１実施形態による第１のエンドキャップ１０２を示す。図示する実施形態では、第１のエンドキャップ１０２は、その平坦で、対向して配置された側壁１４６と１４８を側壁１５０で固定式に接続した部分的に密閉されたハウジング１１２を含んでいる。側壁１５０は、部分的に密閉されたハウジング１１２の周りを部分的に延長しており、これによって、構成部品を第１のエンドキャップ１０２内で組み立てる操作を可能としている。１実施形態では、端壁１４６と１４８は、その形状は半円形であり、また、半円形エッジに沿って側壁１５０に接続されているが、側壁１５０は、その間を直角に延長している。
【００２５】
図１０Ａに、端壁１４８上に配置されたシャフト１１４を有する第１のエンドキャップ１０２を示す。シャフト１１４は、第１のエンドキャップ１０２の端壁１４８に一体成形するのが好ましい。第１のエンドキャップ１０２（部分的に密閉されたハウジング１１２とシャフト１１４）はその全体が、亜鉛から成形されるのが好ましい。端壁１４６は、内部を通る穴５１２を有している。部分的に密閉されたハウジング１１２内には、端壁１４６と１４８に近接して配置されたストップ１５６と、トラフ１６０を挟むように画定するように端壁１４６と１４８間で側壁１５０の内面に沿って長手方向に配置されているトラフ壁１５８と、端壁１４８に隣接して配置されているシェルフ１６２と、が側壁１５０上に一体成形されている。
【００２６】
ストップ１５６は、上部チャネル１０４と下部チャネル１０６の端がそれぞれ、延長アーム１００が延長位置にあるときにストップ１５６と遭遇すると延長アーム１００の下向き又は上向きに運動を停止する働きをする。トラフ壁１５８同士間に配置されているトラフ１６０によって、クレビス１２０を内部で移動させることができるが、これについては後で詳述する。図１０Ｂに、溝１６４によって分離されている、同一平面上にあるフェースを画定しているシェルフ１６２を図示する。シェルフ１６２は、内部に自己タッピングネジ穴１５４などの接続手段を有している。シェルフ１６２の同一平面フェースは、留めクリップ１２６と係合するように構成されているが、このクリップ１２６は、例えば、対を成すネジ１２８によってしかるべき位置に固定されている。留めクリップ１２６がしかるべき位置に固定されると、溝１６４が、スレッド付きロッド１２４の一方の端を受け入れるための間隔を画定するが、これについては以下に詳述する。
【００２７】
この時点で、スレッド付きロッド１２４とクレビス１２０は、製造されて第１のエンドキャップ１０２中に組み込まれる。スレッド付きロッド１２４を、第１のエンドキャップ１０２中で用いて、クレビス１２０を調整可能に支持する。図１０Ｃに、六角形状キーなどの定形キー（図示せず）を受け入れるための、例えば、六角形の形状をした開口１６８を内部で軸方向に配置した円形断面形状を有する第１の端１６６を有するスレッド付きロッド１２４を図示する。有利には、第１の端１６６の断面直径が、穴１５２の断面直径より小さくてその中に挿入されるようにする。第１の端１６６に隣接して、ショルダ１７０が配置されている。有利には、ショルダ１７０が、穴１５２の断面直径より大きい直径を有する円形の断面形状を有する。したがって、ある好ましい実施形態では、ショルダ１７０は、端壁１４６の内面に当接して、第１の端１６６を穴１５２内に留めている。
【００２８】
スレッド付きロッド１２４はまた、クレビス１２０とスレッド式に係合するように構成されているスレッド付きセクション１７２を含んでいる。スレッド付きロッド１２４の第２の端１７４は、第１のエンドキャップ１０２のシェルフ１６２同士間に位置している溝１６４中に配置されている。スレッド付きロッド１２４の第２の端１７４は、溝１６４のサイズより小さい直径を有し、これによって、第２の端１７４が、シェルフ１６２同士間で支持されるが、同時に、内部で自由に回転するようになっているのが好ましい。
【００２９】
既述したように、ロッド１２４上には、クレビス１２０がスレッド式に搭載されている。図１０Ｄに示すクレビス１２０は、スレッド付きロッド１２４を受容するためのタッピング穴１７６を内部に形成している。クレビス１２０はまた、対を成す固定部材１７８を第１の端に有するが、この第１の端には、ガススプリング１２２の第１の端が固定されている。クレビス１２０の第２の端は、トラフ１６０と滑動式に係合するように構成されている。
【００３０】
スレッド付きロッド１２４の第１の端１６６が、定形キーによって係合されると、この定形キーは、スレッド付きロッド１２４をその軸方向中心線の周りに回転させるように作動する。スレッド付きロッド１２４がその回転軸の周りに回転すると、クレビス１２０が、定形キーが回転する方向に対応する方向にスレッド付きロッド１２４の全長に沿って移動する。このクレビス１２０の運動によって、ガススプリング１２２を調整することができる。
【００３１】
部分的に密閉されたハウジング１１２は、例えば、穴１１６で構成され、これによって、ピン１１８などの接続メカニズムを内部に受容する。シャフト１１４は、支持マウント（図示せず）中でピボット旋回式に回転するように挿入されるように構成されているが、このマウントは、壁、デスク又はポールのマウントであったり、又は、その開示内容全体を参照して本書に組み込む、１９９９年９月２７日に提出された「構成自在のマウント（Ｃｏｎｆｉｇｕｒａｂｌｅ  Ｍｏｕｎｔ）」という発明名称の出願者の同時係属出願米国特許出願第０９／４０６，５３１号に図示し、記載されているような構成可能マウントであったりする。
【００３２】
図１１Ａ〜図１１Ｄに、本発明の１実施形態による、上部チャネル１０４の複数の図を示す。上部チャネル１０４は、Ｕ字形本体１３０と、Ｕ字形本体１３０の対向端に配置された一体鋳造ローラ１３２とを含んでいる。Ｕ字形本体１３０は、チャネル底部１８０を含むが、そこから２つのチャネル側壁１８２が延長している。上部チャネル１０４のチャネル底部１８０と、側壁１８２と、ローラ１３２とは、亜鉛から一体鋳造するのが好ましく、これによって、上部チャネル１０４の重量が減り、構造的合成の程度が、重いゲージ鋼から抜き打ち加工された先行技術による上部チャネル１４より軽量の平坦画面デバイスにより適したものとなる。ローラ１３２は、内部に穴１８４（鋳造又は実質的にはドリル開けによる）を有し、これによって、ピン１１８などの接続メカニズムを受容する。加えて、上部チャネル１０４は、ボールスタッド１３８のスレッド付き端を受容するような構成とサイズを有するスレッド付き穴１８６を備えている。このスレッド付き穴１８６もまた、一体鋳造されている。このボールスタッド１３８は、ガススプリング１２２の第２の端を受容するような構成とサイズを有している。
【００３３】
鋼片を加熱してそれを屈曲させてチャネル底部６０と側壁６２を形成することによってＵ字形チャネルが形成される先行技術による上部チャネル１４とは異なって、本発明による上部チャネル１０４は、鋳造成形される。鋳造成形を用いることによって、チャネル底部１８０と側壁１８２が成す角度が、いつも正確に同じとなることを保証する。そのうえ、鋳造成形によって、側壁１８２をテーパー付けすることができる。図１１Ｃと図１１Ｄに示すように、側壁１８２の外面と内面の双方が、例えば約１度だけテーパー付きされ得る。テーパーは１度に限られず、また、内面と外面のテーパーは同じである必要はないことに注意すべきである。テーパーによって、上部及び下部チャネル１０４、１０６を使用中に一緒にする際にその間のクリアランスが増すことを含むいくつかの利点が与えられる。すなわち、側壁１８２の内面が１度だけ変位しているということは、下部チャネル１０６を内部ではめ合わせる際にクリアランスが追加されることを意味する。この追加クリアランスによって、上部チャネル１０４と下部チャネル１０６が互いにこすり合って傷ついたりするのを防止しやすくなる。
【００３４】
図１２Ａ〜図１２Ｅに、本発明の１実施形態による下部チャネル１０６の複数の図を示す。下部チャネル１０６は、Ｕ字形本体１３４と、Ｕ字形本体１３４の対向端に配置された一体鋳造ローラ１３６とを含んでいる。下部チャネル１０６のＵ字形本体１３４は、チャネル底部１９０を含むが、これを起点として２つのチャネル側壁１９２が延長している。下部チャネル１０６のチャネル底部１９０と、側壁１９２と、ローラ１３６とは、亜鉛から一体鋳造するのが好ましく、これによって、重いゲージ鋼と比較して下部チャネル１０６が軽量となり、構造適合性の程度が、軽量の波異端画面デバイスにとってより適したものとなる。ローラ１３６は、内部に穴１９４（鋳造又は実質的にドリル開けしたもの）を有し、これで、ピン１１８などの接続メカニズムを受容する。
【００３５】
加えて、チャネル底部１９０は、自身に沿って走行するケーブルチャネル１９６を含んでいる。図示の実施形態では、ケーブルチャネル１９６の第１の端１９７は、第１のエンドキャップ１０２にピボット旋回式に接続しているチャネル底部１９０の端の近くから発している。次に、ケーブルチャネル１９６は、チャネル底部１９０の全長に沿って走行して、第２のエンドキャップ１０８にピボット旋回式に接続しているチャネル底部１９０の端に至る。このようにして、ケーブルチャネル１９６の第２の端１９９は、第２のエンドキャップ１０８にピボット旋回式に接続するチャネル底部の端におけるローラ１３６間の開口となっている。第１の端１９７は、例えば、下部チャネル１０６の剛性を向上させるために丸められている。ケーブルチャネル１９６は、ケーブルチャネル１９６内で取り外し可能なようにはめ合うように構成されているケーブルカバー１９８（図１２Ｅに
示す）を受容するように構成されている。したがって、搭載されたデバイスのケーブルは、実質的に下部チャネル１０６内に留められ、これによって、これらのケーブルは、見えないように隠され、損傷を受けないように保護される。ケーブルチャネル１９６とケーブルカバー１９８によって、所望の時にケーブルに手が届き、同時にそれらを下部チャネル１０６内に保護することが可能となる。
【００３６】
図１２Ｃと図１２Ｄに示すように、下部チャネル１０６の側壁１９２は、テーパーが付いている。例えば、側壁１９２の外面は、約１１２度のテーパーが付いており、一方、内面は約１度のテーパーが付いている。テーパーは特定の角度に限られず、内面と外面のテーパーが同じであり得ることに注意すべきである。テーパー付けが可能なのは、この好ましい実施形態では、下部チャネル１０６が鋳造成形されるからである。上部チャネル１０４に関して既に注記したように、テーパーによって、上部チャネル１０４と下部チャネル１０６間のクリアランスが大きくなり、これで、上部チャネル１０４と下部チャネル１０６が互いにこすり合って傷つく機会が減少する。
【００３７】
図１２Ｅに示すように、ケーブルカバー１９８は、自身から突出する２つの側壁２０４を持つ頂部カバー２０２を含む。各側壁２０４の遠位端は、キャッチ２０６を有し、これで、ケーブルチャネル１９６と係合するようになっている。
【００３８】
第２のエンドキャップ１０８は、部分的に密閉されたハウジング２５０とシャフトアセンブリ２５２を含む。図１３Ａ〜図１３Ｃに示すように、部分的密閉ハウジング２５０は、その第１の端壁２５４と第２の端壁２５６が互いに対向して、そして側壁２５８によって固定的に接続されている。側壁２５８は、部分的密閉ハウジング２５０の周りを部分的に延長し、これによって、その内部に含まれるケーブルなどの構成部品が操作できるようになっている。第１の端壁２５４が、その内部に穴２６０と、穴２６０と連通する内部のスレッド付き穴２６２とを有している。スレッド付き穴２６２と一緒に止めネジ２６４が配置されている。穴２６０の直径は、ケーブルのプラグ端を内部ではめ合わせることを可能とするに十分な大きさであるのが好ましい。
【００３９】
図１４Ａ〜図１４Ｃに示すように、シャフトアセンブリ２５２は、組み立てられると中空シャフト２６８となる対称性の２つのエンドキャップアダプタ２６６を含むのが好ましい。エンドキャップアダプタ２６６は、搭載端２７０と、搭載端２７０より薄いシャフト端２７２を有している。図１５に示すように、双方のエンドキャップアダプタ２６６の搭載端２７０は、穴２６０中に挿入されて、部分的密閉ハウジング２５０に対して一緒にカップリングされて、止めネジ２６４で締め付けることによって第２のエンドキャップ１０８を形成する。
【００４０】
上部及び下部チャネル１４、１６並びに第１及び第２のエンドキャップ１２、１８は、調整可能な平行四辺形を形成するように構成されている。構成されると、第１のエンドキャップ１０２のシャフト１１４と第２のエンドキャップ１０８の中空シャフト２６８は、互いに反対方向を向く。例えば、図８に示すように、第１のエンドキャップ１０２のシャフト１１４は、垂直方向下向きに延長し、一方、第２のエンドキャップ１０８の中空シャフト２６８は、垂直方向上向きに延長する。この平行四辺形の形状は、ガススプリング１２２によって保持される。既述したように、ガススプリング１２２の第１の端は、上部チャネル１０４内に搭載されたボールスタッド１３８に取り付けられ、第２の端は第１のエンドキャップ１０２内のクレビス１２０に調整可能に搭載される。
【００４１】
一般に、ガススプリング１２２は、ガススプリングの設計抵抗値を越える上向き又は下向きの力が第２のエンドキャップ１０８に印加されないかぎり、固定長を保持するようなサイズとなっている。したがって、ガススプリング１２２は、第２のエンドキャップ１０８に印加される力が平坦画面デバイスの重量だけであれば平行四辺形の形状を保つ。しかしながら、ガススプリング１２２は、ユーザーが前腕延長部１１０にカップリングされている平坦画面デバイスを上下に押せば平行四辺形状を調整できるようになっている。
【００４２】
図１６Ａと図１６Ｂを参照すると、前腕延長部１１０は、第１の端にある第１の雌カップリング１４２と第２の端にある第２の雌カップリング１４４とを有する本体１４０を含んでいる。第１の雌カップリング１４２の内径２０９は、第２のエンドキャップ１０８の中空シャフト２６８と回転式に係合するようなサイズとなっている。第１の雌カップリング１４２もまた、中空シャフト２６８内にケーブルを受容するような構成となっている。すなわち、第１の雌カップリング１４２は、例えば、第１の雌カップリング１４２中にケーブルスロット２７４をミリングしたり、内部で第１の雌カップリング１４２をケーブルスロット２７４と一体に鋳造形成することによって形成されたケーブルスロット２７４を有する。
【００４３】
第１の雌カップリング１４２は、その壁２１４内に形成された止めネジ２１２を有するのが好ましい。止めネジ２１２を占めると、第１の雌カップリング１４２を中空シャフト２６８の周りで回転しないようにすることができる。第１の雌カップリング１４２は、壁２１４に複数の空隙２１７を有すると、材料費が節約でき、また、鋳造されている前腕延長部１１０をより迅速に冷却できるので、利点がある。より迅速に冷却することによって、生産品質を向上させることができる。
【００４４】
ブッシング２１０（図８）を用いて、第１の雌カップリング１４２と中空シャフト２６８を係合させるために用いるのが好ましい。すなわち、ブッシング２１０は、中空シャフト２６８の上方にそして第１の雌カップリング１４２の内部に置かれる。ブッシング２１０は、プラスチックなどの平滑な材料から作って、摩擦を減少させて金属同士間の接触を防止するようにするのが好ましい。図１７Ａと図１７Ｂに示すように、ブッシング２１０もまた、ケーブルスロット２７６をその内部に形成している。ケーブルスロット２７４と２７６は、ケーブルがその内部を通過できるように位置合わせされている。止めネジ２１２を示すと、それによって、ブッシング２１０が内向きに撓み、中空シャフト２６８と摩擦によって係合し、これによって、前腕延長部１１０が、中空シャフト２６８の周りで回転することを防止する。中空シャフト２６８と第１の雌カップリング１４２は、ネジ２１１とワッシャ２１３を用いて一緒に保持する（図８）。
【００４５】
本体１４０は、頂部壁２０７と２つの側壁２０８を持つ逆Ｕ字形をしており、これで、ケーブルが内部に隠れるようにするのが好ましい。ケーブルホルダー２７８を、Ｕ字形本体１４０内に、しかも頂部壁２０７上に取り付ければ利点がある（図８）。ケーブルホルダー２７８によって、ケーブルがＵ字形本体内に固定され、これによって、ケーブルが、前腕延長部１１０の長さ方向に沿って走行する際にそれを隠すことが可能となる。
【００４６】
第２の雌カップリング１４４は、その全体を参照して本書に組み込む、１９９９年９月２７日提出の、出願者の同時係属特許出願第０９／４０６，５３０号に記載のチルターや、平坦画面でバイス支持用のプラットフォームや他の手段などのデバイスマウントに取り付けるためのものである。したがって、第２の雌カップリング１４４は、その内径２１８が、デバイスマウントのシャフトと回転式に係合するようなサイズとなっている。ブッシング２２０（図８）は、プラスチックなどの平坦材料から成っており、これを、シャフトの上方でしかも第２の雌カップリング１４４内に置くのが好ましい。第２の雌カップリング１４４は、自身の壁２２４内に形成された止めネジ２２２を有するのが好ましい。止めネジ２２２を締め付けると、それによって、ブッシング２２０が内向きに撓んで、シャフトと摩擦で係合し、これによって、デバイスマウントが、第２の雌カップリング１４４の周りで回転するのを防止する。有利には、第２の雌カップリング１４４もまた、壁２２４に形成された複数の空隙２２６を有する。
【００４７】
図１６Ａと図１６Ｂに示す前腕延長部１１０の実施形態は、雌カップリング１４２及び１４４と同一平面上にある頂部壁２０７を有している。第１の雌カップリング１４２は第２の雌カップリングより大きいため、第１の雌カップリング１４２の中心は、第２の雌カップリング１４４の中心とも、本体１４０の軸方向中心線２２８とも合っていない。代替実施形態では、雌カップリング１４２及び１４４並びに本体１４０の軸方向中心線２２８はすべて合っており、これで、頂部壁２０７は第１の雌カップリング１４２の上部エッジとは合っていないようになっていることに注意すべきである。
【００４８】
図１６Ａに示す実施形態では、その本体１４０が、雌カップリング１４２と１４４の軸方向中心線が垂直方向に配置されると、雌カップリング１４２と１４４との間に水平方向に配置されるようになっている。この実施形態では、本体１４０は、水平方向配置に限られるわけではなく、傾斜して配置してもよいことに注意すべきである。
【００４９】
本発明は、壁に搭載された平坦画面デバイスを、壁に対向する面を平坦化し、同時に、延長アーム１００をデバイスの陰に隠すことが可能である。すなわち、前腕延長部１１０を、上部及び下部チャネル１０４、１０６のすぐ上方の位置に折り曲げることができる。その結果、搭載されたデバイスは、搭載表面と同一平面上にあり、これで、第１及び第２のエンドキャップ１０２、１０８並びに上部及び下部チャネル１０４、１０６によって形成される平行四辺形及び前腕延長部１１０を視界から隠すことになる。このようにして、延長アーム１００の審美的な魅力が増し、延長アーム１００とデバイスによって占有されるスペースが、最小化される。
【００５０】
戻って図９を参照すると、平坦画面モニター３００が、第２の雌カップリング１４４に回転式にカップリングされているチルター３０２に取り付けられている。パワーケーブルなどのケーブル３０４は、モニター３００から前腕延長部１１０のＵ字形本体１４０の下側に進行している。ケーブル３０４は、ケーブルホルダー２７８によってＵ字形本体１４０内のしかるべき位置に保持される。ケーブル３０４は、本体から、ブッシング２１０のケーブルスロット２７４及び２７６並びに第１の雌カップリングを介して進行する。次に、ケーブルは、第２のエンドキャップ１０８の中空シャフト２６８中を進行する。ケーブルは、部分的密閉ハウジング２６０の開放端を介して第２のエンドキャップ２０８から出る。ケーブルは、下部チャネル１０６の長さ方向に沿って下降して、ケーブルチャネル１９６の第１の端１９７から出る。
【００５１】
ケーブル３０４は、延長アーム１００の部分が組み立てられるに連れて、延長アーム１００に挿入するのが好ましい。すなわち、ケーブル３０４は、前腕延長部１１０のＵ字形本体１４０の下方に置かれて、ケーブルホルダー２７８によってしかるべき位置に保持される。次に、ケーブルは、ケーブルスロット２７４と２７６内を通過する。ケーブル３０４は、プラグ３０６を含めて、次に第２のエンドキャップ１０８の穴２６０中を通される。この時点で、第２のエンドキャップ１０８は、各エンドキャップアダプタ２６８の搭載端２７０を穴２６０に挿入することによって組み立てられ、これによってケーブル３０４を囲む。エンドキャップ２６８は、止めネジ２６４を締め付けることによって、穴２６０中で一緒に保持される。次に、中空シャフト２６８が、第１の雌カップリング１４２内に置かれる。ケーブル３０４は、下部チャネル１０６と第２のエンドキャップが一緒に固定される前に、下部チャネル１０６内に置かれる。これによって、ケーブル３０４が、ローラ１３６の上方で、しかも、上部チャネル１０４と下部チャネル１０６によって形成される中空棒の内部に含まれることが保証される。
【００５２】
戻って図８を参照して、延長アーム１００のいくつかの追加の構成部品を検討する。審美的目的のため、バンパー２８０を第２のエンドキャップ１０８の第２の端壁２５６上に置き、また、プラグ２８２を第１の雌カップリング１４２の上方に置いてもよい。ワッシャ２８４を２つのエンドキャップのアダプタ２６８上方に置いて、これらを一緒に固定する助けとしてもよい。
【００５３】
図１８Ａと図１８Ｂを参照すると、上部チャネル１０４が、オプションとして内部強化物を含むような構造となっている。これは、重い電子デバイス、例えばＣＲＴタイプの大型コンピュータモニターを延長アームに搭載する場合には特に有利となる。上部チャネル１０４内に、リブアセンブリがあって、これは、複数の交差リブ４００と角度付きで配置されている二次リブ４０２とから成っている。例として、交差リブ４００は側壁１８２の横断方向に配置され、一方、二次リブ４０２は角度付きで配置され、これによって、三角形の内部支持構造体を形成するようにする。交差リブ４００と二次リブ４０２は、上部チャネル１０４に挿入することが可能な一体部材として形成してもよい。交差リブ４００と二次リブ４０２は、上部チャネル１０４の形成中に一体鋳造するのが好ましい。
【００５４】
図１９を参照すると、本発明の別の実施形態に従って構築された延長アーム４０４が図示されているが、ここで、図８と図９に示す延長アーム１００に関する同様の部品には、同様に参照番号が付記されている。一般的に、図示されるように、延長アーム４０４は、第１のエンドキャップ１０２と、ネスティングされた上部及び下部チャネル１０４、１０６と、第２のエンドキャップ１０８と、前腕延長部１１０とを含んでいる。簡潔に言うと、延長アーム１００を参照してこれまで説明したように、第１のエンドキャップ１０２は、例えば、エンドキャップシャフト１１４などの支持構造体に搭載可能である。シャフト１１４は、既述したように、そしてまた、出願者の同時係属米国特許出願第０９／４０６，５３１号に開示するように、ピボット旋回式に回転するように支持マウント（図示せず）に挿入するような構成となっている。
【００５５】
上部及び下部チャネル１０４、１０６は、一緒にネスティングされ、これによって、長手方向と横断方向の双方で滑動移動ができるようになっている。上部及び下部チャネル１０４、１０６は、その略Ｕ字形構造のおかげで、その間に、内部を延長する内部チャネルを形成する。上部及び下部チャネル１０４、１０６の共通端は、既述したように、ピン１１８によって第１のエンドキャップ１０２にピボット旋回式に取り付けられている。同様に、上部及び下部チャネル１０４、１０６の他方の共通端は、ピン１１８によって第２のエンドキャップ１０８にピボット旋回式に取り付けられている。水圧タイプのガススプリング１２２は、既述したように、上部チャネル１０４と下部チャネル１０６間に形成されたチャネル内に受容されて、クレビス１２０と下部チャネル１０４に取り付けられる。前腕延長部１１０は、以下に説明するように、中空管状部材４０６の周りで第２のエンドキャップ１０８に回転式に搭載されている。
【００５６】
図２０に示すように、電子デバイス４０８は、チルター３０２に取り付けられている。このチルターは、そのシャフト４１０によって、前腕延長部１１０の自由端に回転式に搭載されている。チルター３０２は、シャフト４１２を含み、この周りを電子デバイス４０８がピボット旋回できるようになっている。したがって、チルター３０２によって、電子デバイス４０８を所望の方向に回転及びピボット旋回又は傾斜させることが可能である。このような１つのチルター３０２が、その開示内容を参照して本書に組み込む、１９９９年９月２７日提出の、出願者の同時係属米国特許出願第０９／４０６，３５０号に記載され、開示されている。
【００５７】
図２１〜図２３に目を転じると、本発明の１実施形態による下部チャネル１０６の構造が図示されている。下部チャネル１０６は、既述のそれとほぼ類似の構造であることを理解すべきである。この点で、下部チャネル１０６は、互いに対向する端にローラ１３６を配置したＵ字形本体を含んでいる。この好ましい実施形態によれば、ローラ１３６は、一体形成して下部チャネル１０６を形成している。下部チャネルは、２つのチャネル側壁１９２が延長する起点であるチャネル底部１９０を含んでいる。ローラ１３６は、ピン１１８などの接続メカニズムを受容する穴１９４を有している。
【００５８】
加えて、チャネル底部１９０は、自身の長手方向に走行するケーブルチャネル１９６を含む。図示の実施形態では、ケーブルチャネル１９６は、チャネル底部１９０の長さ方向に沿って延長し、内向きにそしてローラ１３６に隣接して終端する。ケーブルチャネル１３６の端の片方又は双方は、丸められたりキーホール形状をしていたりする。ケーブルチャネル１９６は、図３３に示すようなケーブルカバー４１２を受容するように構成されている。したがって、搭載された電子デバイス４０８のケーブル３０４は、その全体又は一部分が、下部チャネル１０６内に保持されて、視界から隠され、損傷を受けないように保護される。ケーブル３０４は、下部チャネル１０６の外部に置くと、ケーブルカバー４１２によって覆われて保護される。
【００５９】
図３３に示すように、ケーブルカバーは、間隔を置いて離間されたレッグ４１４と４１６とを有する長尺のＵ字形本体として形成されている。レッグ４１４と４１６の端は、側部凹部４２０を形成する外向きに延長するバンプ４１８を備えている。ケーブルカバー４１２は、レッグ４１４と４１６をケーブルチャネル１９６中に挿入することによって下部チャネル１０６に取り外し可能に取り付けられている。チャネル底部１９０のエッジは、レッグ４１４と４１６がバンプ４１８と係合して内向きに偏向した後で側部凹部４２０内に受容される。
【００６０】
ケーブルカバー４１２は、ケーブルチャネル１９６の上方に長尺開口４２２を形成している。ある種の出願では、ケーブル３０４は、延長アーム４０４を組み立てる際に下部チャネル１０６の内部中を通されることが予想される。他のある種の出願では、下部チャネル１０６のガススプリング１２０の構造のため、ケーブル３０４を収納する下部チャネル内のスペースが限られる。この点で、ケーブルチャネル１９６と、それと対向する開口４２２とによって、ケーブルを受容するためのスペースが追加される。さらにこの点で、延長アーム４０４が完全に組み立てられるような出願では、ケーブルを下部チャネル１０６の中に通すことは不可能であろう。したがって、ケーブル３０４は、ケーブルチャネル１９６の上方を延長して、ケーブルカバー４１２の開口４２２内に含ませることが可能である。さらにまた、ケーブル３０４を、下部チャネル１０６の内部を通させて、第２のエンドキャップ１０８の内部に直接に入れたり、ケーブルチャネル１９６を通って外向きに延長させたりできることが予想される。これは、以下に記載するように、延長アーム４０４の組立中に、ケーブル３０４を設置する際には特に容易である。
【００６１】
図２４と図２５に、図１６Ａと図１６Ｂに示すような、前腕１１０の変更例の構造を示す。変更されたこの前腕延長部１１０は、その底部壁４２４が、第１の雌カップリング１４２から第２の雌カップリング１４４に延長している。１実施形態によれば、底部壁４２４は、第２の雌カップリング１４４に隣接して配置された開口４２６を備えている。前腕延長部１１０は、開口頂部を備え、これによって、第１の雌カップリング１４２から第２の雌カップリング１４４に、しかも底部壁４２４の開口４２６の上方を延長する開口４２８を形成する。
【００６２】
前腕延長部１１０の延長する開口４２４は、図２６と図２７に示すように、取り外し式ケーブルカバー４３０によってその全体又は一部分を密閉される。ケーブルカバー４３０は、頂部壁４３２を含むが、そこから様々な長さと高さを有する複数のリブ４３４が延長している。ケーブルカバー４３０の頂部壁４３２は、長尺のセクション４３６と円形のセクション４３８から形成される。円形セクション４３８は雌カップリング１４２の上方に配置されるようになっており、一方、長尺セクション４３６は前腕延長部１１０の隣接した部分の上方で受容されるようになっている。リブは、開口４２８の内向きに延長し、また、側壁と係合して、前腕延長部１１０と第１の雌カップリング１４２を形成するようなサイズとなっている。リブ４３４を摩擦はめ合うことによって、ケーブルカバー４３０は、開口４２８の上方のしかるべき位置に維持される。ケーブルカバー４３０は、半円形断面で示すような端４４０を有する。しかしながら、端４４０は、直線状又はその他の形状であることを理解すべきである。端４４０は、ケーブルカバー４３０がしかるべき位置にある場合、その終端位置は、図１９に示すように、第２の雌カップリング１４２の位置に達しない。その結果、開口４４２は、ケーブルカバー４３０の端４４０と第２の雌カップリング１４４との間に形成される。開口４４２が底部壁４２４の開口４２６の上方にあること又はそれに位置合わせされることは要件ではない。
【００６３】
前腕延長部１１０は、図１９に示すように、管状部材４０６の自由端を内部に回転式に受容することによって第２のエンドキャップ１０８にピボット旋回式に搭載される。図３１と図３２を参照すると、管状部材４０６は、中空内部４４６を有する長尺の円筒形本体４４４から構成されている。ほぼ矩形状の開口４４８が、本体４４４の側壁に切り込まれていて、これで、中空内部４４６と連通するようになっている。
【００６４】
図２８〜図３０に示すように、第２のエンドキャップ１０８は、側壁２５８で接続されている間隔置き離間された第１と第２の端壁２５４と２５６を含む部分的密閉ハウジングを含んでいる。側壁２５８は、ハウジングの周りを部分的に延長し、これによって、第１と第２の端壁２５４と２５６間を延長する円筒形貫通穴４５０を形成している。第２のエンドキャップ１０８の構造は、図１３Ａ〜図１３Ｃに示すエンドキャップに関連して説明したものと類似している。
【００６５】
管状部材４０６は、図２９に示すように第２のエンドキャップ１０８内で開口４５０に挿入される。矩形開口４４８は位置合わせされ、これによって、管状部材の内部に手が届いて、ケーブル３０４を内部に供給できるようにしている。
【００６６】
再度、図１９を参照すると、ケーブル３０４は、第２のエンドキャップ１０８の内部を通過することによって隠されている。ケーブル３０４は、２つのロケーションの内のどちらか一方から第２のエンドキャップ１０８の内部に延長する。例えば、ケーブル３０４を、下部チャネル部材１０６の外部に沿わせて、ケーブルカバー４１２に収まるようにすることができる。この場合、ケーブル３０４の全体又は一部は、内部のケーブルチャネル１９６を介して下部チャネル１０６内に受容される。次に、３０４は、第２のエンドキャップ２５６の開口を通って第２のエンドギャップ１０８中に延長する。加えて、ケーブル３０４は、その全体又は一部が下部チャネル１０６内に延長して、管状部材４０６の開口４４８から直接に第２のエンドキャップ１０４に入る。
【００６７】
ケーブル３０４は、第１の雌カップリング１４２を介して前腕延長部１１０の内部で、チルター３０２が回転式に支持されている自由端に隣接したロケーションにまで延長する。ケーブル３０４は、開口４２６、４４２の何れかを介して前腕延長部１１０から出る。開口４２６及び４４４並びに管状部材４０６は、電子デバイス用のケーブル３０４に取り付けられるピンコネクタを内部で通過させることができるようなサイズとなっている。以上述べたような延長アーム１００と４０４は、支持電子デバイス４０８に連設されるケーブル３０４を内部で管理する構造となっている。
【００６８】
ここで図３４〜図４７に目を転じると、本発明の別の実施形態に従って構成されたチルター４５８が記載されている。図３４に示すように、チルター４５８は、スイベルボルト４６０と、スイベルラグ４６２と、合わせピン４６４と、摩擦ペレット４６６と、止めネジ４６８と、アダプタ４７０と、ボルト４７２と、任意に搭載スリーブ４７４とを含む。これらの構成部品に加えて、図４５〜図４７に示すように、アダプタ搭載ブラケット４７５が装備されている。
【００６９】
図３５〜図３７では、スイベルボルト４６０は、円形、矩形、楕円形又はその他所望の形状であり得る頂部プレート４７６を含む。頂部プレート４７６から、スレッド付き穴４８０を持つ上部部分と、間隔置き離間された一対のレッグ４８４、４８６を画定する矩形カットアウト４８２を持つ下部部分とを有するほぼ円筒形本体４７８が発している。カットアウト４８２は、スイベルラグ４６２の一部分を受容する受容スペースを画定するスレッド付き穴４８０の端と連通している。穴４８８は、互いに位置合わせされているレッグ４８４と４８６内で横断方向に配置されている。図３７に示すように、レッグ４８４と４８６は、一般に、平坦で平面状であって間隔置き離間されている内面４９０と、外部湾曲面４９２とを備えている。
【００７０】
図３８と図３９に示すように、スイベルラグ４６２は、丸い上端４９６を有する矩形本体４９４から形成されている。貫通穴４９８は、上端４９６に隣接したスイベルラグ４６２内を延長している。スイベルラグ４６２の他方の端は、貫通穴４９８に隣接したロケーションにまで延長しているスレッド付き穴５００を備えている。スレッド付き穴５００は、貫通穴４９８とは連通していないのが好ましい。スイベルラグ４６２は、図３９に示すように、対を成す間隔置き離間された並行平面状表面５０２と５０４から形成されている。
【００７１】
図４０〜図４３に目を転じると、アダプタ４７０は、主本体セクション５０４とＴ字形延長部５０６とを含む。主本体セクション５０４は、貫通開口５０８を含み、主本体セクション５０４の頂部表面５０１に隣接した貫通開口５０８は、矩形状の開口５１２として装備されている。図４０に最もよく示すように、矩形状開口５１２は、貫通開口５０８の隣接部分よりサイズが大きい。Ｔ字形延長部５０６は、主本体セクション５０４から外向きに延長している。図４１と図４３に最もよく示すように、Ｔ字形延長部５０６は、ほぼ水平方向の頂部壁５１４と、くさび形状プロフィールとなっている傾斜底部壁５１６とを有している。
【００７２】
次に図３４と図４４を参照して、チルター４５８のアセンブリを説明する。スイベルラグ４６２は、スイベルボルト４６０のレッグ４８４と４８６間で画定されている矩形カットアウト４８２に挿入される。上端４９６は、スレッド付き穴４８０に隣接してこれの下方に位置付けされている。スイベルラグ４６２は、円筒形合わせピン４６４を、位置合わせされている穴４８８と４９８を通ってスイベルボルトとスイベルラグ中に挿入することによってスイベルボルト４６０にピボット旋回式に搭載される。図４４に示すように、これによって、スイベルラグ４６２は、合わせピン４６４の周りをピボット旋回して、図面の表面から出入りすることが可能となる。
【００７３】
摩擦ペレット４６６は、スイベルラグ４６２の上端４９６と係合することによって自身が支持されているスイベルボルト４６０のスレッド付き穴４８０の底部端に挿入される。スレッド付き止めネジ４６８は、スレッド付き穴４８０に挿入され、これによって、その端が摩擦ペレット４６６の上面と係合するようになっている。止めネジ４６８が回転することによって、圧力が摩擦ペレット４６６に印加され、これによって、圧力がスイベルラグ４６２に印加される。摩擦ペレット４６６は、ポリマー材料製であって、これによって、弾性であり、また、設置ネジ４６８によって印加される力に耐え得るようにするのが好ましい。十分な力を印加すると、スイベルラグ４６２のピボット旋回動作が停止され、以下に説明するように調整がなされる。
【００７４】
これまで既述したアセンブリ、すなわち、スイベルボルト４６０とスイベルラグ４６２とは、アダプタ受容サポート４７４に挿入することができる。図３４に示すように、アダプタ受容サポート４７４は、略平面状のフランジ付き頂部５２０を有する中空円筒形本体に似ている。この円筒形本体５１８は、スイベルボルト４６０の本体４７８を受容するようなサイズと形状を有する貫通穴５２２を形成している。円筒形本体５１８の長さは、スイベルラグ５６２の一部分が図４４を示すように自身を越えて外向きに延長することを可能とするような長さとなっている。チルター４５８は、これまでは、アダプタ受容サポート４７４を含むものとして説明した。アダプタ受容サポート４７４は、前腕延長部１１０の端内の開口２１２に挿入することが可能である。しかしながら、アダプタ受容サポート４７４は、無くてもよいことを理解すべきである。この場合、スイベルボルト４６０は、開口２１８に直接挿入される。したがって、アダプタ受容サポート４７４は、開口２１８にとってライナー又はベアリングとして機能でき、したがって、ポリマー、さらには、所望次第では金属などの様々な材料から作ることが可能である。
【００７５】
スイベルラグ４６２の自由端は、アダプタ４７０内の矩形状開口５１２に挿入される。スイベルラグ４６２は、それにスレッド付きボルト４７２で固定されるが、このボルト４７２は、スイベルラグのスレッド付き穴５００中にスレッディングされている。完成されたチルター４５８のアセンブリを、図４４に示す。アダプタ４７０は、スイベルボルト４６０の長手方向軸の周りを回転するように動作する。この点で、スイベルボルト４６０は、アダプタ受容サポート４７４内で回転する。この目的のためには、アダプタ受容サポート４７４を、ポリマー材料で作製するのが好ましい。加えて、アダプタ４７０は、スイベルラグ４６２によって、合わせピン４６４の軸の周りをピボット旋回させたりする。したがって、アダプタ４７０は、所望次第でピボット旋回と回転の双方の運動をさせることが可能である。
【００７６】
アダプタ４７０は、デバイス搭載ブラケット４７５に取り外し可能に取り付けられている。図４５〜図４７に示すように、搭載ブラケット４７５は、複数の貫通穴５２８を有するプレート５２６を含んでいる。貫通穴５２８は、所望次第で様々なロケーションに配置してもよい。図４７に示すように、貫通穴５２８は、ＬＣＤモニターなどの電子デバイス４０８の後部表面にプレート５２６を取り付ける目的で使用可能である。ネジやクランプなどの他の取り付けメカニズムを用いて、プレート５２６を所望の電子デバイス４０８に取り付けてもよい。
【００７７】
プレート５２６は、その一方の他に、Ｔ字形開口５３２を画定する構成された壁５３０を備えている。Ｔ字形開口５３３２は、Ｔ字形延長部５０６をアダプタ４７０に受容するようなようなサイズと構成を持っている。図４４に示すように、Ｔ字形延長部４７０は、Ｔ字形開口５３２に挿入して、そこに、ボルト又は止めネジ５３４で固定することが可能である。このようにして、電子デバイス４０８は、搭載ブラケット４７５によってチルター４５８に接続され、これによって、これまで説明したように、回転及びピボット旋回又は傾斜運動が可能である。搭載ブラケット４７５の傾斜方位は、止めネジ４６８を締め付けて、十分な力を摩擦ペレット４６６によってスイベルラグ４６２に印加することによって固定することが可能である。
【００７８】
本書で本発明を特定の実施形態を参照して説明したが、これらの実施形態は単に本発明の原理と応用の図示目的であることを理解すべきである。したがって、図示された実施形態に対して多くの修正が可能であり、また、他の装置を、添付クレームで定める本発明の精神と範囲から逸脱することなく作ることが可能であることを理解すべきである。
【図面の簡単な説明】
本発明の上記の内容、さらに、さらなる目的、特徴及び利点は、添付図面と共に、電子デバイスを取り付けるためのケーブル管理システムを備えたアーム装置に関する上記の詳細な記述を参照すればより完全に理解されるであろう。
【図１】先行技術による、コンピュータモニタ搭載用の延長アームの組み立て図である。
【図２】先行技術による延長アームの第１のエンドキャップの図である。
【図３】先行技術による延長アームのクレビスアセンブリの図である。
【図４Ａ、４Ｂ】先行技術による延長アームの上部チャネルの図である。
【図５Ａ、５Ｂ】先行技術による延長アームの下部チャネルの図である。
【図６】先行技術による延長アームの第２のエンドキャップの図である。
【図７】先行技術による延長アームの前腕延長部の図である。
【図８】本発明の１実施形態による、平坦画面デバイスを支持マウントに調整可能に搭載するための、内部ケーブル管理システムを有する延長アームの分解組立図である。
【図９】内部ケーブル管理システムを有する延長アームの側面図である。
【図１０Ａ〜１０Ｄ】本発明の１実施形態による第１のエンドキャップの複数の図である。
【図１１Ａ〜１１Ｄ】本発明の１実施形態による上部チャネルの複数の図である。
【図１２Ａ〜１２Ｅ】本発明の１実施形態による下部チャネルの複数の図である。
【図１３Ａ〜１３Ｃ】本発明の１実施形態による第２のエンドキャップの部分的に密閉されたハウジングの複数の図である。
【図１４Ａ〜１４Ｃ】本発明の１実施形態による第２のエンドキャップのシャフトアセンブリの複数の図である。
【図１５】本発明の１実施形態による組立済みの第２のエンドキャップの図である。
【図１６Ａ、１６Ｂ】本発明の１実施形態による前腕延長部の図である。
【図１７Ａ、１７Ｂ】図１６Ａと１６Ｂに示す延長アームの第２の雌カップリング中で用いられるブッシングの複数の図である。
【図１８Ａ、１８Ｂ】本発明の１実施形態による上部チャネルのそれぞれ側面図と底面図である。
【図１９】本発明の１実施形態による、デバイスを搭載するための、延長アームの組み立て図である。
【図２０】ピボット旋回式で回転式のアジャストメント用のデバイス搭載アセンブリの図である。
【図２１】本発明の１実施形態による下部チャネルの図である。
【図２２】本発明の１実施形態による下部チャネルの別の図である。
【図２３】図２１を線２３−２３で切った下部チャネルの断面図である。
【図２４】本発明の１実施形態による前腕延長部の図である。
【図２５】図２４を線２５−２５で切った前腕延長部の断面図である。
【図２６】本発明の１実施形態による前腕延長部カバー部材の図である。
【図２７】本発明による前腕延長部カバー部材の別の図である。
【図２８〜３０】本発明の１実施形態によるエンドキャップの複数の図である。
【図３１、３２】本発明の１実施形態によるエンドキャップ内で組み立てるための管状部材の複数の図である。
【図３３】本発明の１実施形態によるカバー部材の図である。
【図３４】本発明の１実施形態による構造を持つチルターの構成部品を示す分解図である。
【図３５〜３７】図３４に示すチルターの構成部品を形成するスイベルボルトの様々な図である。
【図３８、３９】図３４に示すチルターの構成部品を形成するスイベルラグの様々な図である。
【図４０〜４３】図３４に示すチルターの構成部品を形成するスイベルアダプタの様々な図である。
【図４４】組み立てられた関係にある図３４に示すチルターの図である。
【図４５〜４７】本発明の１実施形態による、図３４に示すチルター用の搭載ブラケットの様々な図である。
【符号の説明】
１００、４０４  延長アーム
１０２  第１のエンドキャップ
１０４  上部チャネル
１０６  下部チャネル
１０８  第２のエンドキャップ
１１０  前腕延長部
１１２  ハウジング
１１４、４１０  シャフト
１１６、１５２、１８４、１９４、２６０、４８８  穴
１１８  ピン
１２０  クレビス
１２２  ガススプリング
１２４  スレッド付きロッド
１２６  留めクリップ
１２８、２１１  ネジ
１３０、１３４、１４０  Ｕ字形本体
１３２、１３６  一体鋳造ローラ
１３８  ボールスタッド
１４２  第１の雌カップリング
１４４  第２の雌カップリング
１４６、１４８  端壁
１５０、２０４、２０８、２５８  側壁
１５４  自己タッピングネジ穴
１５６  ストップ
１５８  トラフ壁
１６０  トラフ
１６２  シェルフ
１６４  溝
１６６  第１の端
１６８、４２６、４２８、４４２  開口
１７０  ショルダ
１７２  スレッド付きセクション
１７４  第２の端
１７６  タッピング穴
１７８  固定部材
１８０、１９０  チャネル底部
１８２、１９２  チャネル側壁
１８６、２６２、４８０、５００  スレッド付き穴
１９６  ケーブルチャネル
１９８、４１２、４３０  ケーブルカバー
２０２  頂部カバー
２０６  キャッチ
２０７、４３２、５１４  頂部壁
２０９、２１８  内径
２１０、２２０  ブッシング
２１２、２２２、２６４、４６８、５３４  止めネジ
２１３、２８４  ワッシャ
２１４、２２４、５３０  壁
２１７、２２６  空隙
２５０  部分的密閉ハウジング
２５２  シャフトアセンブリ
２５４  第１の端壁
２５６  第２の端壁
２６６  エンドキャップアダプタ
２６８  中空シャフト
２７０  搭載端
２７２  シャフト端
２７４、２７６  ケーブルスロット
２７８  ケーブルホルダー
２８０  バンパー
２８２、３０６  プラグ
３００  平坦画面モニター
３０２  チルター
３０４  ケーブル
４００  交差リブ
４０２  二次リブ
４０６  中空管状部材
４０８  電子デバイス
４１４、４１６、４８４、４８６  レッグ
４１８  バンプ
４２０  側部凹部
４２２  長尺開口
４２４  底部壁
４３４  リブ
４３６  長尺セクション
４３８  円形のセクション
４４０  端
４４４  長尺円筒形本体
４４６  中空内部
４４８  矩形開口
４５０  円筒形貫通穴
４５８  チルター
４６０  スイベルボルト
４６２、５６２  スイベルラグ
４６４  合わせピン
４６６  摩擦ペレット
４７０  アダプタ
４７２  ボルト
４７４  搭載スリーブ
４７５  アダプタ搭載ブラケット
４７６  頂部プレート
４７８、５１８  円筒形本体
４８２  矩形カットアウト
４９０  内面
４９２  外部湾曲面
４９４  矩形本体
４９６  上端
４９８、５２２、５２８  貫通穴
５０２  並行平面状表面
５０４  主本体セクション
５０６  Ｔ字形延長部
５０８  貫通開口
５１２  矩形状開口
５１６  傾斜底部壁
５２０  フランジ付き頂部
５２６  プレート
５３２  Ｔ字形開口
【図１】
0004050523.tif 000002
【図２】
0004050523.tif 000003
【図３】
0004050523.tif 000004
【図４Ａ】
0004050523.tif 000005
【図４Ｂ】
0004050523.tif 000006
【図５Ａ】
0004050523.tif 000007
【図５Ｂ】
0004050523.tif 000008
【図６】
0004050523.tif 000009
【図７】
0004050523.tif 000010
【図８】
0004050523.tif 000011
【図９】
0004050523.tif 000012
【図１０Ａ】
0004050523.tif 000013
【図１０Ｂ】
0004050523.tif 000014
【図１０Ｃ】
0004050523.tif 000015
【図１０Ｄ】
0004050523.tif 000016
【図１１Ａ】
0004050523.tif 000017
【図１１Ｂ】
0004050523.tif 000018
【図１１Ｃ】
0004050523.tif 000019
【図１１Ｄ】
0004050523.tif 000020
【図１２Ａ】
0004050523.tif 000021
【図１２Ｂ】
0004050523.tif 000022
【図１２Ｃ】
0004050523.tif 000023
【図１２Ｄ】
0004050523.tif 000024
【図１２Ｅ】
0004050523.tif 000025
【図１３Ａ】
0004050523.tif 000026
【図１３Ｂ】
0004050523.tif 000027
【図１３Ｃ】
0004050523.tif 000028
【図１４Ａ】
0004050523.tif 000029
【図１４Ｂ】
0004050523.tif 000030
【図１４Ｃ】
0004050523.tif 000031
【図１５】
0004050523.tif 000032
【図１６Ａ】
0004050523.tif 000033
【図１６Ｂ】
0004050523.tif 000034
【図１７Ａ】
0004050523.tif 000035
【図１７Ｂ】
0004050523.tif 000036
【図１８Ａ】
0004050523.tif 000037
【図１８Ｂ】
0004050523.tif 000038
【図１９】
0004050523.tif 000039
【図２０】
0004050523.tif 000040
【図２１】
0004050523.tif 000041
【図２２】
0004050523.tif 000042
【図２３】
0004050523.tif 000043
【図２４】
0004050523.tif 000044
【図２５】
0004050523.tif 000045
【図２６】
0004050523.tif 000046
【図２７】
0004050523.tif 000047
【図２８】
0004050523.tif 000048
【図２９】
0004050523.tif 000049
【図３０】
0004050523.tif 000050
【図３１】
0004050523.tif 000051
【図３２】
0004050523.tif 000052
【図３３】
0004050523.tif 000053
【図３４】
0004050523.tif 000054
【図３５】
0004050523.tif 000055
【図３６】
0004050523.tif 000056
【図３７】
0004050523.tif 000057
【図３８】
0004050523.tif 000058
【図３９】
0004050523.tif 000059
【図４０】
0004050523.tif 000060
【図４１】
0004050523.tif 000061
【図４２】
0004050523.tif 000062
【図４３】
0004050523.tif 000063
【図４４】
0004050523.tif 000064
【図４５】
0004050523.tif 000065
【図４６】
0004050523.tif 000066
【図４７】
0004050523.tif 000067